(57)【要約】      （修正有）【課題】完全に覆って破片の飛散を回避し、かつ使用上の安全性を向上させた刃折り装置を提供する。【解決手段】保存ケース１０と刃折り器２０を有する刃折り装置であって、保存ケース１０は閉鎖された底部と開放された頂部を有し、保存ケース１０の内部に、頂部と連通する収容室が設けられ、保存ケース１０の頂部に収容室と連通する装着口が設けられている。刃折り器２０は保存ケース１０と結合されて装着口に位置し、刃折り器２０の一側面にアーチ形刃挿入溝部２３が凹設されており、アーチ形刃挿入溝部２３の内壁面が、アーチ形底壁面と、アーチ形底壁面の両側に沿って伸びる２つの側壁面を含んで、アーチ形凹状収容空間２３１を形成しており、アーチ形刃挿入溝部２３の内壁面の中段に、収容室とアーチ形凹状収容空間２３１に連通する挿入口２３３が貫通して設けられている。刃を折る過程での破片の飛散を効果的に防止することができる。【選択図】図３
0003221273.tif 000002
【実用新案登録請求の範囲】
【請求項１】
閉鎖された底部と開放された頂部を有し、該頂部と連通する収容室が内部に設けられ、該頂部に該収容室と連通する装着口が設けられている保存ケースと、
該保存ケースと結合されて該装着口に設けられ、一側面にアーチ形刃挿入溝部が凹設されており、該アーチ形刃挿入溝部の内壁面が、アーチ形底壁面と、該アーチ形底壁面の両側に沿って伸びる２つの側壁面を含んで、アーチ形凹状収容空間を形成しており、該アーチ形底壁面の中段に、該収容室と該アーチ形凹状収容空間に連通する挿入口が貫通して設けられている刃折り器と、
が設けられている刃折り装置。
【請求項２】
前記アーチ形刃挿入溝部の内壁面の前記アーチ形底壁面および２つの前記側壁面がＵ字形の構造形態を呈する、請求項１に記載の刃折り装置。
【請求項３】
前記アーチ形刃挿入溝部の内壁面の前記アーチ形底壁面および２つの前記側壁面が半円形の構造形態を呈する、請求項１に記載の刃折り装置。
【請求項４】
前記アーチ形刃挿入溝部の内壁面の前記アーチ形底壁面および２つの前記側壁面がスマイルカーブ形の構造形態を呈する、請求項１に記載の刃折り装置。
【請求項５】
前記アーチ形刃挿入溝部の各前記側壁面がくぼみアーチ面または傾斜面を呈する、請求項１に記載の刃折り装置。
【請求項６】
前記アーチ形刃挿入溝部が前記刃折り器の外側面に沿って直立状を呈し、該アーチ形刃挿入溝部の頂部側にガイド開口が設けられており、該ガイド開口の開口方向が、前記挿入口の開口方向に対して垂直である、請求項１に記載の刃折り装置。
【請求項７】
前記刃折り器は、内面の前記挿入口に近接する位置にガイドリブが突設され、該ガイドリブに、該挿入口に対して直線的に対向する位置ガイド口が貫通して設けられ、該ガイドリブは該挿入口に対する位置合わせ効果を提供できる、請求項６に記載の刃折り装置。
【請求項８】
前記刃折り器の頂部側に、指で動かして該刃折り器を前記保存ケースから離すための溝部が設けられており、該溝部の開口方向は、前記ガイド開口に対して平行である、請求項６に記載の刃折り装置。
【請求項９】
前記刃折り器は、互いに対向して設けられた２つの外側面に、指で挟んで該刃折り器を前記保存ケースから引き離すための把持凹部がそれぞれ設けられている、請求項１に記載の刃折り装置。
【請求項１０】
前記保存ケースは、前記頂部の前記装着口の、前記アーチ形刃挿入溝部から遠い側にケースカバーが設けられており、該ケースカバーは該保存ケースに対して引っ張られて動くことができ、かつ前記刃折り器に当接して、該刃折り器を該ケースカバーと該保存ケースとの間に位置させて前記アーチ形凹状収容空間を覆うことができ、該ケースカバーは、該装着口の内面に向いた、該装着口から遠い自由端に係止リブが突設されており、該ケースカバーが該刃折り器に当接したとき、該ケースカバーの該係止リブが該アーチ形刃挿入溝部の該アーチ形凹状収容空間内に位置して前記挿入口を覆う、請求項１〜９のいずれか１項に記載の刃折り装置。
【考案の詳細な説明】
【技術分野】
【０００１】
本考案は、刃折り装置に関するものであり、特に、完全に覆って破片が飛散するのを回避することができ、使用上の安全性を高めた刃折り装置を指す。
【背景技術】
【０００２】
従来のカッターナイフは、長期間使用すると、衝突や摩耗によって刃が鈍くなったり破損したりしやすくなる。従来のカッターナイフの刃は複数の隣接する刃片体により構成されているため、従来のカッターナイフの先端に位置する刃を交換しなければならない場合、主に、従来のカッターナイフの先端の刃を刃折り器に挿入し、該刃折り器と刃とを相対的に動かすことにより、従来のカッターナイフの先端の刃を折り、後方に位置する鋭利な刃片体を使用することができる。
【０００３】
しかしながら、従来の刃折り器は、刃を折るという効果は提供できるものの、刃が挿入される刃挿入溝がＶ字形を呈し、かつ該刃挿入溝の底に刃挿入口が設けられており、該刃挿入溝は位置を合わせて挿入するという効果は提供できるものの、Ｖ字形の溝体構造であるため、刃を刃挿入溝に挿入する際、従来のカッターナイフのグリップの前縁が該刃挿入溝の両側の周縁にぶつかって該刃挿入溝に深く入れられず、該グリップの刃の送り出し口と該刃挿入溝の底の刃挿入口との間に縮小不可能な空間的距離ができてしまう。さらに、Ｖ字形を呈する刃挿入溝の両側の周縁は、該グリップの前縁を覆うという効果を提供できない。したがって、従来のカッターナイフの刃を折ろうとする場合、グリップの前縁が刃挿入溝に覆われていないために、折る過程で発生する刃の破片が、該グリップの刃の送り出し口と該刃挿入溝の底の刃挿入口との間の空間から飛散することから、使用上の安全性の問題となっており、改善の余地があった。
【考案の概要】
【考案が解決しようとする課題】
【０００４】
したがって本考案は、実際の使用において、覆うことができず刃の破片が飛散しやすいため安全性に不安があるという従来の刃折り器の欠陥及び不足に鑑み、試験と研究を重ね、ついに従来の欠陥が改善された本考案を創出するに至った。本考案の刃折り装置は、主に、コンパクトな構造と配置によって、使用時にグリップの刃の送り出し口と該刃挿入口との間の空間的距離を縮小するだけでなく、従来のカッターナイフのグリップの前縁を覆うという効果を提供することもでき、刃を折る過程での破片の飛散を効果的に防止することができる。それにより、完全に覆って破片の飛散を避け、かつ使用上の安全性を向上させた刃折り装置を提供することを目的とする。
【課題を解決するための手段】
【０００５】
上記の目的に基づき、本考案は、
閉鎖された底部と開放された頂部を有し、該頂部と連通する収容室が内部に設けられ、該頂部に該収容室と連通する装着口が設けられている保存ケースと、
該保存ケースと結合されて該装着口に設けられ、一側面にアーチ形刃挿入溝部が凹設されており、該アーチ形刃挿入溝部の内壁面が、アーチ形底壁面と、該アーチ形底壁面の両側に沿って伸びる２つの側壁面を含んで、アーチ形凹状収容空間を形成しており、該アーチ形底壁面の中段に、該収容室と該アーチ形凹状収容空間に連通する挿入口が貫通して設けられている刃折り器と、が設けられている刃折り装置を提供する。
【０００６】
さらに、前記刃折り装置は、前記アーチ形刃挿入溝部の内壁面がＵ字形、半円型、またはスマイルカーブ形の構造形態を呈する。
【０００７】
またさらに、前記刃折り装置は、前記アーチ形刃挿入溝部の各側壁面がくぼみアーチ面または傾斜面を呈する。
【０００８】
好ましくは、前記刃折り装置は、前記アーチ形刃挿入溝部が前記刃折り器の外側面に沿って直立状を呈し、該アーチ形刃挿入溝部の頂部側にガイド開口が設けられており、該ガイド開口の開口方向が、前記挿入口の開口方向に対して垂直である。
【０００９】
好ましくは、前記刃折り装置は、前記刃折り器において、内面の前記挿入口に近接する位置にガイドリブが突設され、該ガイドリブに、該挿入口に対して直線的に対向する位置ガイド口が貫通して設けられ、該ガイドリブは該挿入口に対する位置合わせ効果を提供できる。
【００１０】
好ましくは、前記刃折り装置は、前記刃折り器の頂部側に、指で動かして該刃折り器を前記保存ケースから離すための溝部が設けられており、該溝部の開口方向は、前記ガイド開口に対して平行である。
【００１１】
好ましくは、前記刃折り装置は、前記刃折り器において、互いに対向して設けられた２つの外側面に、指で挟んで該刃折り器を前記保存ケースから引き離すための把持凹部がそれぞれ設けられている。
【００１２】
好ましくは、前記刃折り装置は、前記保存ケースにおいて、前記頂部の前記装着口の、前記アーチ形刃挿入溝部から遠い側にケースカバーが設けられており、該ケースカバーは該保存ケースに対して引っ張られて動くことができ、かつ前記刃折り器に当接して、該刃折り器を該ケースカバーと該保存ケースとの間に位置させて前記アーチ形凹状収容空間を覆うことができ、該ケースカバーは、該装着口の内面に向いた、該装着口から遠い自由端に係止リブが突設されており、該ケースカバーが該刃折り器に当接したとき、該ケースカバーの該係止リブが該アーチ形刃挿入溝部の該アーチ形凹状収容空間内に位置して前記挿入口を覆う。
【考案の効果】
【００１３】
上記の技術手段によって、本考案の刃折り装置は少なくとも以下の優れた点と効果を有している。
一、本考案の刃折り装置は、使用時に、該アーチ形刃挿入溝部の内壁面がアーチ形の構造形態を呈することにより、該カッターナイフのグリップの前縁を、該収容空間を経由して該アーチ形刃挿入溝部の内壁面まで延ばすことができ、グリップの刃送り出し口と該アーチ形刃挿入溝部のアーチ形底壁面との間の空間的距離を縮小できるだけでなく、該グリップの前縁が該２つの側壁面の間に位置するようにして、該カッターナイフが該刃折り器に対して揺動する過程において、該グリップの前縁が該アーチ形刃挿入溝部のアーチ形底壁面に当接して該２つの側壁面に覆われることで、折る過程で発生する破片が効果的に遮られ、該保存ケースの収容室内にまとめられて、破片が飛散することによる安全性の問題を効果的に回避することができる。
二、本考案の刃折り装置の刃折り器は、該保存ケースに取り外し可能に結合されることで、使用者は刃折り器と該保存ケースとを分離させた後、収容室内に集められた廃棄刃片体を取り除くことができる。
三、本考案の刃折り装置の取り外し可能な刃折り器によれば、使用者が、折りたい刃のカッターナイフの構造形態またはサイズに応じて、異なる形態（アーチ形、Ｕ字形、半円形またはスマイルカーブ形）の刃折り器を、該保存ケースに組み付けて使用できる。
四、本考案の刃折り装置のケースカバーは、該係合突起が該係合溝に係合することで、該刃折り器としっかり結合することができ、保存ケース内の廃棄刃片体が挿入口から落下することを効果的に回避できる。
五、本考案の刃折り装置は、耐摩耗性金属で製造された刃折り器を使用すれば、その寿命を大幅に延ばすことができ、プラスチック製の保存ケースを使用すれば、製造に要するコストを大幅に削減できる。
【図面の簡単な説明】
【００１４】
【図１】本考案の刃折り装置の外観斜視図である。
【図２】本考案の刃折り装置の断面側面図である。
【図３】本考案の刃折り装置のケースカバーを開けた外観斜視図である。
【図４】図２の４−４線に沿って切断した、本考案の刃折り装置の平面視断面図である。
【図５】本考案の刃折り装置の分解斜視図である。
【図６】図２の６−６線に沿って切断した、本考案の刃折り装置の断面側面図である。
【図７】カッターナイフの刃を折るために用いられる本考案の刃折り装置の操作の模式図である。
【図８】本考案の刃折り装置がカッターナイフの刃を折る部分拡大断面側面図である。
【図９】本考案の刃折り装置がカッターナイフの刃を折る部分拡大平面視模式図である。
【考案を実施するための形態】
【００１５】
本考案の技術的特徴および実用的な効果を詳細に理解できるよう、また明細書の内容に従って実現できるよう、図に示す好ましい実施形態を用いて、より詳細に説明する。
【００１６】
本考案は刃折り装置を提供する。図１に示すように、該刃折り装置には、保存ケース１０と、該保存ケース１０と取り外し可能に結合された刃折り器２０が設けられており、該保存ケース１０と該刃折り器２０はそれぞれ異なる材料で形成することができる。さらに、該保存ケース１０をプラスチックで形成し、該刃折り器２０を耐摩耗性の金属で形成することができる。
【００１７】
さらに図２〜図５に示すように、該保存ケース１０は長尺の矩形を呈する箱体に形成され、閉鎖された底部と開放された頂部を有する。該保存ケース１０の内部には該頂部と連通する収容室１１が設けられており、該保存ケース１０は、該頂部に、傾斜して設置されかつ該収容室１１と連通する装着口１２が設けられている。該装着口１２は、対向する２つの側辺に、内側にくぼんだガイド面１２１がそれぞれ設けられている。さらに、該保存ケース１０は、２つのガイド面１２１に近接した対向する２つの側辺の内面に、長尺状の係止溝１３がそれぞれ凹設されている。好ましくは、該保存ケース１０は、頂部の該装着口１２側に、Ｌ字形に折り曲げ可能な長尺状の構造を有する、引っ張って動かせるケースカバー１４が設けられ、該ケースカバー１４は、該装着口１２の内面に向いた、装着口１２から遠い自由端に係止リブ１４１が突設され、該係止リブ１４１は、自由端に係合突起１４２が設けられている。好ましくは、該ケースカバー１４は、該係止リブ１４１の外周縁に、外向きに傾斜して設置された引っ張りレバー１４３が設けられ、該保存ケース１０は、該引っ張りレバー１４３と該係止リブ１４１との間に逃がし溝１５が形成されている。
【００１８】
図４〜図６に示すように、該刃折り器２０は、該保存ケース１０と結合されて該装着口１２に設けられ、該刃折り器２０は、該ケースカバー１４が該保存ケース１０に対して外に引っ張られて動くと、該保存ケース１０から離れる。該刃折り器２０はほぼ四角形を呈するブロック体であり、該刃折り器２０は、該装着口１２に対向する向かい合う２つの側辺に、当接条２１がそれぞれ突設されており、該２つの当接条２１によって、該刃折り器２０を該保存ケース１０の装着口１２に設置することができる。好ましくは、該刃折り器２０は、該２つの当接条２１に近接する２つの側面に、係止条２２がそれぞれ突設され、該刃折り器２０と該保存ケース１０とが結合するときに、該２つの係止条２２がそれぞれ該２つのガイド面１２１にガイドされて、それぞれ該保存ケース１０の２つの係止溝１３と係合して結合されることにより、該刃折り器２０がしっかりと該保存ケース１０の装着口１２に設置される。さらに、該２つの係止条２２と該２つの係止溝１３の、該刃折り器２０と該保存ケース１０における配置位置及び方法は、互いに入れ替えて配置してもよく、該刃折り器２０が該保存ケース１０に係合可能となるように、互いに係合できればよい。
【００１９】
図４〜図６に示すように、該刃折り器２０は、該ケースカバー１４から離れた外側面に、アーチ形刃挿入溝部２３が直立して凹設されており、該アーチ形刃挿入溝部２３の内壁面は、アーチ形底壁面２３０と、該アーチ形底壁面２３０の両側に沿って伸びる２つの側壁面２３２を含んで、グリップ４１の前縁が挿入されるアーチ形凹状収容空間２３１を形成している。好ましくは、該アーチ形刃挿入溝部２３の内壁面がＵ字形、半円形、またはスマイルカーブ形の構造形態を呈し、さらには、該アーチ形刃挿入溝部２３の各側壁面２３２がくぼみアーチ面または傾斜面を呈し、該アーチ形刃挿入溝部２３は、アーチ形底壁面２３０の中段に、該収容室１１と該アーチ形凹状収容空間２３１に連通する挿入口２３３が貫通して設けられている。図２および図５に示すように、該刃折り器２０は、該アーチ形刃挿入溝部２３の底部の前縁に、係合部２４が上方に向かって突設されており、該係合部２４は、該挿入口２３３に近接する内側の面に係合溝２４１が凹設されている。該ケースカバー１４が該刃折り器２０に当接した後、該ケースカバー１４の係止リブ１４１が該アーチ形刃挿入溝部２３のアーチ形凹状収容空間２３１内に位置して該挿入口２３３を覆うと、該係合突起１４２が該係合溝２４１に係合し、かつ該係合部２４が該逃がし溝１５内に位置し、これにより、該刃折り器２０が該ケースカバー１４と該保存ケース１０との間に位置して該アーチ形凹状収容空間２３１が覆われる。さらに、該刃折り器２０は、内面の該挿入口２３３に近接する位置にガイドリブ２５が突設され、該ガイドリブ２５に、該挿入口２３３に対して直線的に対向する位置ガイド口２５１が貫通して設けられている。図８に示すように、ガイドリブ２５は、該位置ガイド口２５１に挿入されたカッターナイフ４０の刃４２の先端の折れ目４２２を該挿入口２３３に位置合わせする位置合わせ効果を提供することができる。カッターナイフ４０の刃４２は、直立している挿入口２３３に斜めに挿入しなければ折れ目４２２を挿入口２３３に合わせることができず、この時のガイドリブ２５はカッターナイフ４０の刃４２を斜めに挿入させる働きをして、使用者が調整しなくても折れ目４２２がスムーズに挿入口２３３に合わせられることがわかる。好ましくは、該刃折り器２０は、外側の面に指示マーク２６が設けられ、該指示マーク２６は記号、文字、または記号と文字の両方であってもよい。
【００２０】
図３、図５および図８に示すとおり、該アーチ形刃挿入溝部２３の頂部側に、該カッターナイフ４０のグリップ４１の前縁をガイドして該アーチ形凹状収容空間２３１に斜めに挿入するためのガイド開口２７が設けられており、該ガイド開口２７の開口方向は、該挿入口２３３の開口方向に対して垂直またはほぼ垂直である。さらに、図３および図５に示すように、該刃折り器２０は、該ガイド開口２７に近接する頂部側に、使用者が指で動かして該刃折り器２０を該保存ケース１０から離すための溝部２８が設けられており、該溝部２８の開口方向は、該ガイド開口２７に平行またはほぼ平行である。好ましくは、該刃折り器２０は、互いに対向して設けられた２つの外側面に、指で挟んで該刃折り器２０を該保存ケース１０から引き離すための把持凹部２９がそれぞれ設けられている。
【００２１】
本考案の刃折り装置は、使用時には、図２および図３に示すように、引っ張りレバー１４３を引いて、該係合突起１４２を該係止リブ１４１とともに該係合部２４の係合溝２４１から離れさせ、該ケースカバー１４を該刃折り器２０から離れる方向に引くことにより、該アーチ形刃挿入溝部２３を該保存ケース１０の外に露出させる。図７及び図８に示すように、該カッターナイフ４０の刃４２の先端の刃片体４２１を、該収容空間２３１、該挿入口２３３及び該装着口１２を経由して、該保存ケース１０の収容室１１内に挿入し、かつ該刃４２の先端の刃片体４２１を該ガイドリブ２５の位置ガイド口２５１内に位置させる。この場合、該アーチ形刃挿入溝部２３の内壁面はアーチ形の構造形態を呈していることにより、該カッターナイフ４０のグリップ４１の前縁を、該収容空間２３１を経由して該アーチ形刃挿入溝部２３のアーチ形底壁面２３０まで伸ばすことができ、グリップ４１の刃送り出し口と、該アーチ形刃挿入溝部２３のアーチ形底壁面２３０の挿入口２３３との間の空間的距離を縮小することができるだけでなく、さらに該グリップ４１の前縁を該２つの側壁面２３２の間に位置させ、カッターナイフ４０のグリップ４１の前縁を覆う効果を提供することができる。
【００２２】
図９に示すように、カッターナイフ４０が該刃折り器２０に対して揺動角度θを成すとき（θ≧１０°）、該刃折り器２０内に位置する刃４２の先端の刃片体４２１には、図８に示すように該挿入口２３３と該位置ガイド口２５１との間で変形および断裂が生じ、先端が破損した又は鈍くなった刃片体４２１を折って該保存ケース１０の収容室１１内に収容することができる。この場合、該カッターナイフ４０が該刃折り器２０に対して揺動する過程において、該グリップ４１の前縁が、該アーチ形刃挿入溝部２３のアーチ形底壁面２３０に当接して２つの側壁面２３２に覆われることにより、折る過程で発生する破片を効果的に遮り、該保存ケース１０の収容室１１内に集めて、飛散による安全性の問題を効果的に回避することができる。
【００２３】
上記の技術手段によって、本考案の刃折り装置は、使用時に、該アーチ形刃挿入溝部２３の内壁面がアーチ形の構造形態を呈することにより、該カッターナイフ４０のグリップ４１の前縁を、該収容空間２３１を経由して該アーチ形刃挿入溝部２３の内壁面まで延ばすことができ、グリップ４１の刃送り出し口と該アーチ形刃挿入溝部２３のアーチ形底壁面２３０との間の空間的距離を縮小できるだけでなく、該グリップ４１の前縁が該２つの側壁面２３２の間に位置するようにして、該カッターナイフ４０が該刃折り器２０に対して揺動する過程において、該グリップ４１の前縁が該アーチ形刃挿入溝部２３のアーチ形底壁面２３０に当接して該２つの側壁面２３２に覆われることで、折る過程で発生する破片が効果的に遮られ、該保存ケース１０の収容室１１内にまとめられて、破片が飛散することによる安全性の問題を効果的に回避することができる。さらに、該刃折り器２０は該保存ケース１０に取り外し可能に結合されることで、使用者は刃折り器２０と該保存ケース１０とを分離させた後、収容室１１内に集められた廃棄刃片体４２１を取り除くことができる。
【００２４】
さらに、取り外し可能な刃折り器２０により、使用者が、折りたい刃４２のカッターナイフ４０の構造形態またはサイズに応じて、異なる形態のアーチ形刃挿入溝部２３の内壁面（アーチ形、Ｕ字形、半円形またはスマイルカーブ形）を有する刃折り器２０を、該保存ケース１０に組み付けて使用できる。さらに、該ケースカバー１４は、該係合突起１４２が該係合溝２４１に係合することで、該刃折り器２０としっかり結合することができ、保存ケース１０内の廃棄刃片体４２１が挿入口２３３から落下することを効果的に回避できる。また、耐摩耗性金属で製造された刃折り器２０を使用すれば、その寿命を大幅に延ばすことができ、プラスチック製の保存ケース１０を使用すれば、製造に要するコストを大幅に削減できる。それにより、完全に覆って破片の飛散を防止し、使用上の安全性を向上させることができる刃折り装置を提供する。
【００２５】
以上の記載は、本考案の好ましい実施形態に過ぎず、また本考案を何ら限定するものではなく、すべての当業者が、本考案の技術的構想を逸脱しない範囲で、本考案が開示する技術内容を利用して部分的に変更または修飾した等価な実施形態を作り出し、かつ本考案の技術構想の内容を逸脱しない場合は、すべて本考案の技術構想の範囲に属する。
【符号の説明】
【００２６】
１０    保存ケース
１１    収容室
１２    装着口
１３    係止溝
１４    ケースカバー
１４１  係止リブ
１４２  係合突起
１４３  引っ張りレバー
１５    逃がし溝
２０    刃折り器
２１    当接条
２２    係止条
２３    アーチ形刃挿入溝部
２３０  アーチ形底壁面
２３１  アーチ形凹状収容空間
２３２  側壁面
２３３  挿入口
２４    係合部
２４１  係合溝
２５    ガイドリブ
２５１  位置ガイド口
２６    指示マーク
２７    ガイド開口
２８    溝部
２９    把持凹部
４０    カッターナイフ
４１    グリップ
４２    刃
４２１  刃片体
４２２  折れ目
θ      揺動角度
【図１】
0003221273.tif 000003
【図２】
0003221273.tif 000004
【図３】
0003221273.tif 000005
【図４】
0003221273.tif 000006
【図５】
0003221273.tif 000007
【図６】
0003221273.tif 000008
【図７】
0003221273.tif 000009
【図８】
0003221273.tif 000010
【図９】
0003221273.tif 000011